(57)【要約】 【課題】  楽曲を良好に再生できるナビゲーション装置を提供する。【解決手段】  ナビゲーション装置２００の処理部２９０は、スポット再生処理手段にて、ＡＣＣ電源のオン操作またはオフ操作を認識すると、候補曲検索手段にプレイリストに登録された楽曲のうち通常再生回数が所定回数以下の楽曲をスポット再生候補曲として設定させる。スポット再生処理手段は、スポット再生候補曲のサビの区間を再生するスポット再生処理を実施する。【選択図】 図１
2006209914.tif 000002
【特許請求の範囲】
【請求項１】
出力データ記憶手段に記憶された出力データをデータ出力手段で出力させるとともに、前記出力データにおける出力された回数を管理する第１のデータ出力制御手段と、
電力源からの電力供給の開始又は電力供給の終了の少なくとも一つの指示がなされたことを認識する電力供給状態認識手段と、
前記指示がなされたことを前記電力供給状態認識手段が認識すると、前記回数が所定回数以下の一又は複数の前記出力データを選択する選択手段と、
この選択手段で選択された一又は複数の各前記出力データの少なくとも一部を前記データ出力手段で出力させる第２のデータ出力制御手段と、
を具備したことを特徴とするデータ出力制御装置。
【請求項２】
請求項１に記載のデータ出力制御装置であって、
所定の処理を実施する処理実施手段における前記処理の実施状態を認識する処理状態認識手段を具備し、
前記選択手段は、前記実施状態が所定の状態であることを前記処理状態認識手段が認識すると、前記所定回数以下の出力データを選択する
ことを特徴とするデータ出力制御装置。
【請求項３】
出力データ記憶手段に記憶された出力データをデータ出力手段で出力させるとともに、前記出力データにおける出力された回数を管理する第１のデータ出力制御手段と、
所定の処理を実施する処理実施手段における前記処理の実施状態を認識する処理状態認識手段と、
前記実施状態が所定の状態であることを前記処理状態認識手段が認識すると、前記回数が所定回数以下の一又は複数の前記出力データを選択する選択手段と、
この選択手段で選択された一又は複数の各前記出力データの少なくとも一部を前記データ出力手段で出力させる第２のデータ出力制御手段と、
を具備したことを特徴とするデータ出力制御装置。
【請求項４】
請求項２または請求項３に記載のデータ出力制御装置であって、
前記処理状態認識手段は、前記第１のデータ出力制御手段の制御により前記所定の出力データが出力されていない時間を認識する処理を実施し、
前記選択手段は、前記第１のデータ出力制御手段の制御により前記出力データが所定時間続けて出力されていないことを前記処理状態認識手段が認識すると、前記所定回数以下の出力データを選択する
ことを特徴とするデータ出力制御装置。
【請求項５】
請求項２ないし請求項４のいずれかに記載のデータ出力制御装置であって、
前記処理実施手段は、前記第１のデータ出力制御手段の制御により出力させる前記出力データを選択する旨を要求する選択要求情報を出力させる処理を実施し、
前記選択手段は、前記選択要求情報が出力されたことを前記処理状態認識手段が認識すると、前記所定回数以下の出力データを選択する
ことを特徴とするデータ出力制御装置。
【請求項６】
請求項２ないし請求項５のいずれかに記載のデータ出力制御装置であって、
前記処理実施手段は、ネットワークを介して検索データを検索する処理を実施し、
前記選択手段は、前記検索する処理の開始から終了までの時間が所定時間以上であることを前記処理状態認識手段が認識すると、前記所定回数以下の出力データを選択する
ことを特徴とするデータ出力制御装置。
【請求項７】
請求項２ないし請求項６のいずれかに記載のデータ出力制御装置であって、
前記処理実施手段は、ネットワークを介して送受信される送受信データを受信する処理および前記送受信データを送信する処理のうち少なくともいずれか一方の処理を実施し、
前記選択手段は、前記少なくともいずれか一方の処理の開始から終了までの時間が所定時間以上であることを前記処理状態認識手段が認識すると、前記所定回数以下の出力データを選択する
ことを特徴とするデータ出力制御装置。
【請求項８】
請求項２ないし請求項７のいずれかに記載のデータ出力制御装置であって、
前記処理実施手段は、変更対象データ記憶手段に記憶された変更対象データの変更処理を実施し、
前記選択手段は、前記変更処理の開始から終了までの時間が所定時間以上であることを前記処理状態認識手段が認識すると、前記所定回数以下の出力データを選択する
ことを特徴とするデータ出力制御装置。
【請求項９】
請求項２ないし請求項８のいずれかに記載のデータ出力制御装置であって、
前記処理実施手段は、互いに異なる複数のプログラムデータに基づく処理を実施し、
前記選択手段は、前記処理実施手段で実施されている前記プログラムデータに基づく処理が他の前記プログラムデータに基づく処理に切り換えられることを前記処理状態認識手段が認識すると、前記所定回数以下の出力データを選択する
ことを特徴とするデータ出力制御装置。
【請求項１０】
請求項９に記載のデータ出力制御装置であって、
前記選択手段は、前記切り換えられた回数が所定切換回数であることを前記処理状態認識手段が認識すると、前記所定回数以下の出力データを選択する
ことを特徴とするデータ出力制御装置。
【請求項１１】
請求項１ないし請求項１０のいずれかに記載のデータ出力制御装置であって、
移動体の移動状態を認識する移動状態認識手段を具備し、
前記選択手段は、前記移動状態が所定の状態であることを前記移動状態認識手段が認識すると、前記所定回数以下の出力データを選択する
ことを特徴とするデータ出力制御装置。
【請求項１２】
出力データ記憶手段に記憶された出力データをデータ出力手段で出力させるとともに、前記出力データにおける出力された回数を管理する第１のデータ出力制御手段と、
移動体の移動状態を認識する移動状態認識手段と、
前記移動状態が所定の状態であることを前記移動状態認識手段が認識すると、前記回数が所定回数以下の一又は複数の前記出力データを選択する選択手段と、
この選択手段で選択された一又は複数の各前記出力データの少なくとも一部を前記データ出力手段で出力させる第２のデータ出力制御手段と、
を具備したことを特徴とするデータ出力制御装置。
【請求項１３】
請求項１１または請求項１２に記載のデータ出力制御装置であって、
前記選択手段は、前記移動状態が踏切および信号のうち少なくともいずれか一方により移動が停止された状態であることを前記移動状態認識手段が認識すると、前記所定回数以下の出力データを選択する
ことを特徴とするデータ出力制御装置。
【請求項１４】
請求項１ないし請求項１３のいずれかに記載のデータ出力制御装置であって、
前記出力データ記憶手段は、前記第２のデータ出力制御手段の制御により少なくとも一部が出力される対象である前記出力データおよび前記少なくとも一部が出力される対象でない前記出力データのうち少なくともいずれか一方を記憶し、
前記選択手段は、前記一部が出力される対象でありかつ前記所定回数以下の出力データを選択する
ことを特徴とするデータ出力制御装置。
【請求項１５】
請求項１４に記載のデータ出力制御装置であって、
前記第２のデータ出力制御手段の制御による前記出力データの少なくとも一部の出力中に前記出力されている出力データを前記対象から外す旨の入力操作を認識すると、前記出力されている出力データを前記対象でない前記出力データとして設定する対象設定変更手段を具備した
ことを特徴とするデータ出力制御装置。
【請求項１６】
請求項１ないし請求項１５のいずれかに記載のデータ出力制御装置であって、
前記選択手段は、前記第２のデータ出力制御手段の制御により少なくとも一部が出力された回数が所定一部出力回数以下でありかつ前記所定回数以下の出力データを選択する
ことを特徴とするデータ出力制御装置。
【請求項１７】
請求項１ないし請求項１６のいずれかに記載のデータ出力制御装置であって、
前記選択手段は、前記所定回数以下の出力データから無作為に前記出力データを選択する
ことを特徴とするデータ出力制御装置。
【請求項１８】
請求項１ないし請求項１７のいずれかに記載のデータ出力制御装置であって、
前記選択手段は、前記出力データ記憶手段に記憶されてからの経過時間が所定時間以下でありかつ前記所定回数以下の出力データを選択する
ことを特徴とするデータ出力制御装置。
【請求項１９】
請求項１ないし請求項１８のいずれかに記載のデータ出力制御装置であって、
複数の前記出力データが登録されたデータリストを記憶するデータリスト記憶手段を具備し、
前記第１のデータ出力制御手段は、前記データリストに登録された複数の前記出力データを連続的に出力させ、
前記選択手段は、前記データリスト記憶手段に記憶されてからの経過時間が最も短い前記データリストに登録されかつ前記所定回数以下の出力データを選択する
ことを特徴とするデータ出力制御装置。
【請求項２０】
請求項１ないし請求項１８のいずれかに記載のデータ出力制御装置であって、
複数の前記出力データが登録されたデータリストを記憶するデータリスト記憶手段を具備し、
前記第１のデータ出力制御手段は、前記データリストに登録された複数の前記出力データを連続的に出力させ、
前記選択手段は、前記データリスト記憶手段に記憶されてからの経過時間に対応する順序および現在日時を表す数値に基づいて特定される前記データリストに登録されかつ前記所定回数以下の出力データを選択する
ことを特徴とするデータ出力制御装置。
【請求項２１】
請求項１ないし請求項２０のいずれかに記載のデータ出力制御装置であって、
前記出力データ記憶手段は、第１の前記出力データおよびこの第１の出力データに付随する第２の前記出力データを記憶し、
前記選択手段は、前記所定回数以下の前記第２の出力データを選択する
ことを特徴とするデータ出力制御装置。
【請求項２２】
請求項１ないし請求項２１のいずれかに記載のデータ出力制御装置であって、
前記出力データは、コンテンツデータであり、
前記第１のデータ出力制御手段は、前記コンテンツデータを前記データ出力手段で出力させ、
前記第２のデータ出力制御手段は、前記選択手段で選択された一又は複数の各前記コンテンツデータの少なくとも一部を前記データ出力手段で出力させる
ことを特徴とするデータ出力制御装置。
【請求項２３】
請求項２２に記載のデータ出力制御装置であって、
前記コンテンツデータは、楽曲データであり、
前記第１のデータ出力制御手段は、前記楽曲データを前記データ出力手段で出力させ、
前記第２のデータ出力制御手段は、前記選択された楽曲データの曲調が異なる複数の楽曲区間のうち少なくともいずれか１つの前記楽曲区間を前記楽曲データの少なくとも一部として前記データ出力手段で出力させる
ことを特徴とするデータ出力制御装置。
【請求項２４】
出力データ記憶手段に記憶された出力データをデータ出力手段で出力させる制御をするデータ出力制御方法であって、
前記出力データを前記データ出力手段で出力させるとともに、前記出力データにおける出力された回数を管理し、
電力源からの電力供給の開始又は電力供給の終了の少なくとも一つの指示がなされたことを認識すると、前記回数が所定回数以下の一又は複数の前記出力データを選択し、
この選択された一又は複数の各前記出力データの少なくとも一部を前記データ出力手段で出力させる
ことを特徴とするデータ出力制御方法。
【請求項２５】
出力データ記憶手段に記憶された出力データをデータ出力手段で出力させる制御をするデータ出力制御方法であって、
前記出力データを前記データ出力手段で出力させるとともに、前記出力データにおける出力された回数を管理し、
所定の処理を実施する処理実施手段における前記処理の実施状態が所定の状態であることを認識すると、前記回数が所定回数以下の一又は複数の前記出力データを選択し、
この選択された一又は複数の各前記出力データの少なくとも一部を前記データ出力手段で出力させる
ことを特徴とするデータ出力制御方法。
【請求項２６】
出力データ記憶手段に記憶された出力データをデータ出力手段で出力させる制御をするデータ出力制御方法であって、
前記出力データを前記データ出力手段で出力させるとともに、前記出力データにおける出力された回数を管理し、
移動体の移動状態が所定の状態であることを認識すると、前記回数が所定回数以下の一又は複数の前記出力データを選択し、
この選択された一又は複数の各前記出力データの少なくとも一部を前記データ出力手段で出力させる
ことを特徴とするデータ出力制御方法。
【請求項２７】
演算手段を請求項１ないし請求項２３のいずれかに記載のデータ出力制御装置として機能させる
ことを特徴とするデータ出力制御プログラム。
【請求項２８】
請求項２４ないし請求項２６のいずれかに記載のデータ出力制御方法を演算手段に実行させる
ことを特徴とするデータ出力制御プログラム。
【請求項２９】
請求項２７または請求項２８に記載のデータ出力制御プログラムが演算手段にて読取可能に記録された
ことを特徴とするデータ出力制御プログラムを記録した記録媒体。
【発明の詳細な説明】
【技術分野】
【０００１】
本発明は、所定のデータを出力させるデータ出力制御装置、その方法、そのプログラム、および、そのプログラムを記録した記録媒体に関する。
【背景技術】
【０００２】
従来、例えばＨＤ（Hard Disk）などの記録媒体に記録された複数の楽曲データを、いわゆるプレイリストにより再生、削除などする構成が知られている。そして、このようなプレイリストにより楽曲データを管理する構成として、例えば利用者の嗜好に合うグループで編集し、このプレイリストにしたがって再生する再生装置が知られている。
【発明の開示】
【発明が解決しようとする課題】
【０００３】
しかしながら、上述したような構成では、例えば利用者の嗜好に合う楽曲が含まれるという理由によりそのプレイリストの選択が頻繁に行われることが想定され、そうなると、そのプレイリストに含まれない楽曲を聴取する機会が失われるおそれがあるという問題が一例として挙げられる。
【０００４】
本発明の目的は、所定のデータを良好に出力可能なデータ出力制御装置、その方法、そのプログラム、および、そのプログラムを記録した記録媒体を提供することである。
【課題を解決するための手段】
【０００５】
請求項１に記載の発明は、出力データ記憶手段に記憶された出力データをデータ出力手段で出力させるとともに、前記出力データにおける出力された回数を管理する第１のデータ出力制御手段と、電力源からの電力供給の開始又は電力供給の終了の少なくとも一つの指示がなされたことを認識する電力供給状態認識手段と、前記指示がなされたことを前記電力供給状態認識手段が認識すると、前記回数が所定回数以下の一又は複数の前記出力データを選択する選択手段と、この選択手段で選択された一又は複数の各前記出力データの少なくとも一部を前記データ出力手段で出力させる第２のデータ出力制御手段と、を具備したことを特徴とするデータ出力制御装置である。
【０００６】
請求項３に記載の発明は、出力データ記憶手段に記憶された出力データをデータ出力手段で出力させるとともに、前記出力データにおける出力された回数を管理する第１のデータ出力制御手段と、所定の処理を実施する処理実施手段における前記処理の実施状態を認識する処理状態認識手段と、前記実施状態が所定の状態であることを前記処理状態認識手段が認識すると、前記回数が所定回数以下の一又は複数の前記出力データを選択する選択手段と、この選択手段で選択された一又は複数の各前記出力データの少なくとも一部を前記データ出力手段で出力させる第２のデータ出力制御手段と、を具備したことを特徴とするデータ出力制御装置である。
【０００７】
請求項１２に記載の発明は、出力データ記憶手段に記憶された出力データをデータ出力手段で出力させるとともに、前記出力データにおける出力された回数を管理する第１のデータ出力制御手段と、移動体の移動状態を認識する移動状態認識手段と、前記移動状態が所定の状態であることを前記移動状態認識手段が認識すると、前記回数が所定回数以下の一又は複数の前記出力データを選択する選択手段と、この選択手段で選択された一又は複数の各前記出力データの少なくとも一部を前記データ出力手段で出力させる第２のデータ出力制御手段と、を具備したことを特徴とするデータ出力制御装置である。
【０００８】
請求項２４に記載の発明は、出力データ記憶手段に記憶された出力データをデータ出力手段で出力させる制御をするデータ出力制御方法であって、前記出力データを前記データ出力手段で出力させるとともに、前記出力データにおける出力された回数を管理し、電力源からの電力供給の開始又は電力供給の終了の少なくとも一つの指示がなされたことを認識すると、前記回数が所定回数以下の一又は複数の前記出力データを選択し、この選択された一又は複数の各前記出力データの少なくとも一部を前記データ出力手段で出力させることを特徴とするデータ出力制御方法である。
【０００９】
請求項２５に記載の発明は、出力データ記憶手段に記憶された出力データをデータ出力手段で出力させる制御をするデータ出力制御方法であって、前記出力データを前記データ出力手段で出力させるとともに、前記出力データにおける出力された回数を管理し、所定の処理を実施する処理実施手段における前記処理の実施状態が所定の状態であることを認識すると、前記回数が所定回数以下の一又は複数の前記出力データを選択し、この選択された一又は複数の各前記出力データの少なくとも一部を前記データ出力手段で出力させることを特徴とするデータ出力制御方法である。
【００１０】
請求項２６に記載の発明は、出力データ記憶手段に記憶された出力データをデータ出力手段で出力させる制御をするデータ出力制御方法であって、前記出力データを前記データ出力手段で出力させるとともに、前記出力データにおける出力された回数を管理し、移動体の移動状態が所定の状態であることを認識すると、前記回数が所定回数以下の一又は複数の前記出力データを選択し、この選択された一又は複数の各前記出力データの少なくとも一部を前記データ出力手段で出力させることを特徴とするデータ出力制御方法である。
【００１１】
請求項２７に記載の発明は、演算手段を請求項１ないし請求項２３のいずれかに記載のデータ出力制御装置として機能させることを特徴とするデータ出力制御プログラムである。
【００１２】
請求項２８に記載の発明は、請求項２４ないし請求項２６のいずれかに記載のデータ出力制御方法を演算手段に実行させることを特徴とするデータ出力制御プログラムである。
【００１３】
請求項２９に記載の発明は、請求項２７または請求項２８に記載のデータ出力制御プログラムが演算手段にて読取可能に記録されたことを特徴とするデータ出力制御プログラムを記録した記録媒体である。
【発明を実施するための最良の形態】
【００１４】
以下、本発明に係る一実施の形態を図面に基づいて説明する。本実施の形態では、本発明のデータ出力制御装置を備えたナビゲーション装置を有するナビゲーションシステムであって、移動体である例えば車両の走行案内誘導など移動を支援する構成や、例えば楽曲を再生する構成を備えたシステムを例示して説明する。なお、ナビゲーションシステムとしては、車両の走行を案内誘導する構成に限らず、いずれの移動体の移動を支援する構成が対象となる。図１は、ナビゲーションシステムの概略構成を示すブロック図である。図２は、プレイリストの概略構成を示す模式図である。図３は、ナビゲーション装置を構成する処理部の概略構成を示すブロック図である。
【００１５】
〔ナビゲーションシステムの構成〕
図１において、１００はナビゲーションシステムである。このナビゲーションシステム１００は、移動体である例えば車両の移動状況に対応して移動に関する案内を報知したり、楽曲を再生したりするシステムである。また、ナビゲーションシステム１００は、所定の楽曲を自動選択してその一部を再生する処理（以下、スポット再生処理と称す）を適宜実施する。なお、利用者による設定入力に基づく楽曲の再生処理を通常再生処理と称して説明する。そして、ナビゲーションシステム１００は、ナビゲーション装置２００と、データ出力手段としての発音手段４００と、などを備えている。
【００１６】
発音手段４００は、例えばインストルメントパネル部、ドア部、リアダッシュボード部など、車両の室内空間における前方部分や後方部分の左右側にそれぞれ配設されたスピーカ４１０を有している。そして、発音手段４００は、ナビゲーション装置２００から出力される楽曲データなどをスピーカ４１０から音により出力させる。なお、発音手段４００としては、あらかじめ車両に搭載されたスピーカ４１０を利用して出力させる構成としてもよい。
【００１７】
ナビゲーション装置２００は、移動体としての例えば車両に搭載される車載型、携帯型、ＰＤＡ（Personal Digital Assistant）、携帯電話、ＰＨＳ(Personal Handyphone System)、携帯型パーソナルコンピュータなどである。ナビゲーション装置２００は、地図情報に基づいて目的地までのルート探索や最寄りの所定の店舗の検索などを実施して、それらの結果を適宜報知する。また、ナビゲーション装置２００は、楽曲データに基づいて楽曲を再生する。そして、ナビゲーション装置２００は、センサ部２１０と、交通情報受信部２２０と、入力部２３０と、表示部２４０と、音声出力部２５０と、地図情報記憶手段２６０と、出力データ記憶手段としての楽曲データ記憶手段２７０と、データリスト記憶手段としてのメモリ２８０と、演算手段としての処理部２９０と、などを備えている。
【００１８】
センサ部２１０は、移動体である例えば車両の移動の状態、すなわち現在位置や走行状況などを検出して処理部２９０にセンサ信号として出力する。このセンサ部２１０は、例えば図示しないＧＰＳ（Global Positioning System）受信部と、図示しない速度センサ、方位角センサおよび加速度センサなどの各種センサなどにて構成されている。そして、ＧＰＳ受信部、速度センサ、方位角センサは、それぞれ演算したり検出した車両の現在位置の疑似座標値、走行速度、走行方向に関する情報を処理部２９０へ出力する。
【００１９】
交通情報受信部２２０は、道路の交通状態、例えば渋滞や交通規制などに関する交通情報を受信する。この交通情報受信部２２０としては、例えば日本にて開発されて利用されているＶＩＣＳ（Vehicle Information Communication System：道路交通情報通信システム）受信装置などが利用できる。このＶＩＣＳ受信装置を用いたこの交通情報受信部２２０は、図示しないＶＩＣＳアンテナを有し、このＶＩＣＳアンテナにより交通に関する情報を取得して処理部２９０にＶＩＣＳ信号として出力する。
【００２０】
入力部２３０は、ケース体の例えば正面に臨んで入力操作可能に配設された図示しない各種操作ボタンや操作つまみなどを有している。そして、入力部２３０は、例えばナビゲーション装置２００の動作内容の設定などの設定事項の入力操作により、各種情報を操作信号として処理部２９０へ出力して設定させる。なお、入力部２３０としては、例えば表示部２４０に設けられたタッチパネルによる入力操作や音声による入力操作など、各種設定事項を設定入力可能ないずれの構成が例示できる。
【００２１】
表示部２４０は、処理部２９０から画像信号として送信される画像データを表示させる。ここで、表示させる情報としては、地図情報、楽曲に関する情報などが例示できる。この表示部２４０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。なお、表示部２４０は、例えばＴＶ受信機で受信したＴＶ映像データなどをも適宜出力可能である。
【００２２】
音声出力部２５０は、例えば図示しないスピーカを有している。この音声出力部２５０は、処理部２９０から音声信号として送信される音声データをスピーカから音声として出力させる。ここで、音声により出力する情報としては、例えば車両の走行方向や走行状況、交通状況など車両の走行を案内する各種情報などが例示できる。なお、音声出力部２５０は、スピーカを設けた構成に限らず、発音手段４００のスピーカ４１０を利用する構成としてもよい。
【００２３】
地図情報記憶手段２６０は、地図情報やこの地図情報における所定の地点の情報を取得するための検索情報などを格納、すなわち読み出し可能に記憶する。この地図情報記憶手段２６０としては、ＨＤ（Hard Disk）などの磁気ディスク、ＣＤ（Compact Disc）やＤＶＤ（Digital Versatile Disc）などの光ディスク、メモリカードなど、各種記録媒体に読み出し可能に記憶するドライブやドライバなどを備えた構成が例示できる。
【００２４】
ここで、地図情報は、ＰＯＩ（Point Of Interest）である表示用データと、マッチングデータと、移動経路探索用地図データと、などを備えている。
【００２５】
表示用データは、例えばそれぞれ固有の番号が付加された複数の表示用メッシュ情報を備えている。すなわち、表示用データは、一部の領域に関する表示用メッシュ情報に複数分割され、表示用メッシュ情報が縦横に複数連続して構成されている。そして、表示用メッシュ情報は、例えば交差点などの名称を表示させるための名称情報と、道路を表示させるための道路情報と、建造物などを表示させるための背景情報と、などを備えている。マッチングデータは、表示用データと同様に、例えばそれぞれ固有の番号が付加された一部の領域に関するマッチングメッシュ情報に複数分割され、マッチングメッシュ情報が縦横に複数連続して構成されている。そして、マッチングデータは、例えば車両の移動状態を地図情報に重畳させて表示させる際に、車両を表す表示が道路上ではなく建物上に位置するなどの誤表示を防止するため、車両を表す表示が道路上に位置するように表示を修正するマップマッチング処理に利用される。また、マッチングデータは、ＶＩＣＳデータに関連付けられ、ＶＩＣＳデータと地図表示との位置関係が対応するようになっている。移動経路探索用地図情報は、地点を表す地点情報と地点を結ぶ線分情報とを有したテーブル構造で、移動経路を探索するために道路を表すための情報構造となっている。
【００２６】
楽曲データ記憶手段２７０は、楽曲リストデータを適宜読み出し可能に記憶する。この楽曲データ記憶手段２７０としては、地図情報記憶手段２６０と同様に、ＨＤなどの磁気ディスク、ＣＤやＤＶＤなどの光ディスク、メモリカードなど、各種記録媒体に読み出し可能に記憶するドライブやドライバなどを備えた構成が例示できる。ここで、楽曲リストデータは、再生される楽曲のリストに関するデータである。そして、楽曲リストデータは、少なくとも１つの楽曲個別データが１つのデータ構造として関連付けられて構成されている。
【００２７】
楽曲個別データは、１つの楽曲に関する情報である。そして、楽曲個別データは、出力データとしてのコンテンツデータである楽曲データと、楽曲関連情報と、などが１つのデータ構造として構成されたテーブル構造である。なお、楽曲個別データは、楽曲データのみで構成される場合もある。楽曲データは、楽曲の再生の際に用いられるデータであり、例えばＭＩＤＩ（Musical Instrument Digital Interface）形式やＷＡＶＥ形式あるいはＭＰＥＧ（Moving Picture Experts Group）形式などの楽曲を再生可能な形式により記録されている。楽曲関連情報は、楽曲データにより再生される楽曲に関する情報、すなわち例えば楽曲名、演奏者、再生時間などに関する情報である。
【００２８】
メモリ２８０は、入力部２３０で入力操作される設定事項、例えば図２に示すような少なくとも１つのデータリストとしてのプレイリスト６００などの処理部２９０で取得したり生成した各種情報、音声データや画像データ、ナビゲーション装置２００全体を動作制御するＯＳ（Operating System）上に展開される各種プログラムなどを記憶している。このメモリ２８０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２８０としては、ＨＤ、ＤＶＤ、光ディスクなどの記録媒体に読み出し可能に記憶するドライブやドライバなどを備えた構成としてもよい。
【００２９】
ここで、プレイリスト６００は、例えば利用者の嗜好に合わせて選択的に関連付けられた、あるいはいわゆるアルバムとして販売されたり配信され演奏者や制作者により関連付けられた少なくとも１つの楽曲のリストである。そして、プレイリスト６００は、リスト作成日時情報６１０と、少なくとも１つの楽曲個別情報６２０と、などが１つのデータ構造として関連付けられて構成されている。
【００３０】
リスト作成日時情報６１０は、プレイリスト６００が作成された日時に関する情報である。楽曲個別情報６２０は、プレイリスト６００に登録された１つの楽曲に関する情報である。そして、楽曲個別情報６２０は、楽曲データ特定情報６２１と、スポット再生区間情報６２２と、スポット再生対象フラグ６２３と、通常再生回数情報６２４と、スポット再生回数情報６２５と、などを備えている。
【００３１】
楽曲データ特定情報６２１は、楽曲データを特定するための情報である。この楽曲データ特定情報６２１としては、楽曲データ記憶手段２７０に記憶された楽曲データのファイル名や、楽曲関連情報の楽曲名に関する情報などが例示できる。スポット再生区間情報６２２は、楽曲データにおけるスポット再生時に再生させる最も盛り上がる区間であるいわゆるサビの区間の先端位置および後端位置に関する情報である。このスポット再生区間情報６２２としては、通常再生時の再生経過時間や楽曲データのアドレスに関する情報などが例示できる。スポット再生対象フラグ６２３は、楽曲データ特定情報６２１で特定される楽曲がスポット再生の対象の楽曲（以下、スポット再生対象曲と称す）か否かを示すものである。具体的には、スポット再生対象フラグ６２３は、１であればスポット再生対象曲である旨を示し、０であればスポット再生対象曲でない旨を示す。通常再生回数情報６２４は、楽曲が通常再生された回数に関する情報である。スポット再生回数情報６２５は、楽曲がスポット再生された回数に関する情報である。なお、通常再生回数情報６２４およびスポット再生回数情報６２５は、処理部２９０により適宜更新される。
【００３２】
処理部２９０は、図示しない各種入出力ポート、例えばＧＰＳ受信部が接続されるＧＰＳ受信ポート、各種センサがそれぞれ接続されるセンサポート、ＶＩＣＳアンテナが接続されるＶＩＣＳ受信ポート、入力部２３０が接続されるキー入力ポート、表示部２４０が接続される表示ポート、音声出力部２５０が接続される音声ポート、地図情報記憶手段２６０が接続される地図記憶ポート、楽曲データ記憶手段２７０が接続される楽曲記憶ポート、メモリ２８０が接続されるメモリポート、発音手段４００が接続される発音ポートなどを有する。そして、処理部２９０は、各種プログラムとして、図３に示すように、ナビゲーション処理部３００と、楽曲再生部３１０と、計時手段３２０と、などを備えている。
【００３３】
ナビゲーション処理部３００は、車両の移動に関する各種情報を適宜生成する処理などをする。そして、ナビゲーション処理部３００は、現在位置認識手段３０１と、目的地認識手段３０２と、経路処理手段３０３と、案内報知手段３０４と、マップマッチング手段３０５と、情報検索手段３０６と、移動状態認識手段としての走行停止認識手段３０７と、などを備えている。
【００３４】
現在位置認識手段３０１は、センサ部２１０からの各種情報に基づいて車両の現在位置を認識する。なお、現在位置認識手段３０１は、現在位置として上述した車両の現在位置の他、入力部２３０にて設定入力された起点となる出発地点などを、擬似現在位置として認識可能である。目的地認識手段３０２は、例えば入力部２３０の入力操作により設定入力された目的地に関する目的地情報、例えば緯度・経度などの座標、住所、電話番号を取得し、目的地の位置を認識する。経路処理手段３０３は、現在位置情報、目的地情報、交通情報受信部２２０にて取得したＶＩＣＳデータ、地図情報記憶手段２６０に記憶された地図情報などに基づいて、適宜利用者に対応した設定条件で車両の移動経路を演算してルート探索し、この移動経路に関する移動経路情報を生成する。なお、この移動経路情報は、例えば車両の走行の際に誘導して走行を補助する経路案内情報をも有する。
【００３５】
案内報知手段３０４は、車両の走行状況に対応してあらかじめ取得した移動経路情報などに基づいて車両の移動に関する案内、例えば車両の走行を支援する内容の案内を、表示部２４０による画像表示や音声出力部２５０による発音にて出力する。マップマッチング手段３０５は、地図情報記憶手段２６０から取得する地図情報に基づいて、現在位置認識手段３０１にて認識した現在位置を適切に表示させるためのマップマッチング処理をする。情報検索手段３０６は、例えば入力部２３０にて設定入力された検索情報の検索要求により、地図情報記憶手段２６０に記憶された検索情報を、例えば店舗や施設などの項目情報などに基づいて階層状に検索して取得する。
【００３６】
走行停止認識手段３０７は、現在位置情報、走行速度、地図情報などに基づいて、道路の信号（以下、道路信号と称す）や踏切などで車両の走行が停止されている状態か否かを認識する。具体的には、走行停止認識手段３０７は、走行速度が０すなわち車両が停止していることを認識すると、現在位置情報および地図情報に基づいて現在位置が踏切または道路信号近傍であるか否かを判断する。そして、踏切近傍であると判断した場合、踏切により走行が停止されている旨の踏切停止情報をスポット再生部３１３へ出力する。また、道路信号近傍であると判断した場合、道路信号により走行が停止されていると認識して、その旨の道路信号停止情報をスポット再生部３１３へ出力する。
【００３７】
楽曲再生部３１０は、楽曲データ記憶手段２７０の楽曲データに基づいて、楽曲の再生処理を実施する。そして、楽曲再生部３１０は、プレイリスト生成手段３１１と、第１のデータ出力制御手段としての通常再生部３１２と、スポット再生部３１３と、などを備えている。
【００３８】
プレイリスト生成手段３１１は、プレイリスト６００を生成する。具体的には、プレイリスト生成手段３１１は、入力部２３０の入力操作に基づくプレイリスト６００を生成する旨の操作信号を取得すると、楽曲データ記憶手段２７０に記憶された楽曲個別データの例えば楽曲名や演奏者とともに、スポット再生対象曲とするか否かの設定入力を促す旨を表示部２４０に表示させる。そして、所定の楽曲が選択された旨の操作信号を取得すると、この選択された楽曲に関する楽曲データ特定情報６２１を生成する。また、この楽曲データ特定情報６２１で特定される楽曲データを解析して、この楽曲のサビの区間を認識する。ここで、サビの区間を認識する方法としては、曲調が変化する区間や楽曲の中で多く繰り返される区間をサビとして認識する方法などが例示できるがこれに限られない。そして、このサビの区間に関するスポット再生区間情報６２２を生成する。なお、入力部２３０の入力操作に基づくスポット再生時に再生させる区間に関する操作信号に基づいて、スポット再生区間情報６２２を生成する構成としてもよい。さらに、スポット再生対象曲とする旨の操作信号を取得した場合に１のスポット再生対象フラグ６２３を生成し、スポット再生対象曲としない旨の操作信号を取得した場合に０のスポット再生対象フラグ６２３を生成する。また、０回の情報を記載した通常再生回数情報６２４およびスポット再生回数情報６２５を生成する。そして、これら生成した楽曲データ特定情報６２１、スポット再生区間情報６２２、スポット再生対象フラグ６２３、通常再生回数情報６２４、スポット再生回数情報６２５を組み込んだ楽曲個別情報６２０を生成する。
【００３９】
また、プレイリスト生成手段３１１は、計時手段３２０から現在日時に関する後述する現在日時情報を取得する。さらに、この現在日時情報の現在日時をプレイリスト６００が生成される日時として記載したリスト作成日時情報６１０を生成する。そして、リスト作成日時情報６１０と、楽曲個別情報６２０と、を組み込んだプレイリスト６００を生成して、メモリ２８０に適宜読み出し可能に記憶させる。なお、少なくとも１つの楽曲個別データを楽曲データ記憶手段２７０に記憶させる際に、この記憶させる楽曲個別データに関するプレイリスト６００を生成する構成としてもよい。また、楽曲データ記憶手段２７０がＣＤやＤＶＤなどの着脱可能な記録媒体に記録された楽曲個別データを読み出す構成の場合、記録媒体が装着された際にこの記録媒体に収録された楽曲個別データに関するプレイリスト６００を生成する構成としてもよい。
【００４０】
通常再生部３１２は、楽曲の通常再生処理を適宜実施する。具体的には、通常再生部３１２は、入力部２３０の入力操作に基づく所定の楽曲を通常再生する旨の操作信号を取得すると、この楽曲に対応する楽曲データを楽曲データ記憶手段２７０から検索して取得する。そして、この楽曲データを発音手段４００へ出力して、楽曲の通常再生処理を実施する。また、通常再生部３１２は、所定のプレイリスト６００に登録された楽曲を通常再生する旨の操作信号を取得すると、このプレイリスト６００の楽曲データ特定情報６２１に基づいて、通常再生が要求された楽曲に対応する楽曲データを特定する。そして、この楽曲データに基づいて楽曲の通常再生処理を実施する。また、通常再生部３１２は、プレイリスト６００の楽曲を再生すると、この楽曲の楽曲個別情報６２０に組み込まれた通常再生回数情報６２４の回数に１を加える処理をする。
【００４１】
スポット再生部３１３は、楽曲のスポット再生処理を適宜実施する。そして、スポット再生部３１３は、選択手段としての候補曲検索手段３１３Ａと、電力供給状態認識手段および対象設定変更手段としても機能する第２のデータ出力制御手段としてのスポット再生処理手段３１３Ｂと、などを備えている。なお、メモリ２８０、走行停止認識手段３０７、通常再生部３１２、および、スポット再生部３１３にて、本発明のデータ出力制御装置が構成されている。ここで、本発明のデータ出力制御装置としては、メモリ２８０および走行停止認識手段３０７のうち少なくともいずれか一方を備えない構成としてもよい。
【００４２】
候補曲検索手段３１３Ａは、スポット再生処理手段３１３Ｂの制御により、スポット再生させる楽曲（以下、スポット再生候補曲と称す）の検索処理を実施する。具体的には、候補曲検索手段３１３Ａは、スポット再生処理手段３１３Ｂからスポット再生候補曲を検索する旨の候補曲検索要求信号を取得すると、計時手段３２０から現在日時情報を取得する。さらに、この現在日時情報およびリスト作成日時情報６１０に基づいて、作成日時が現在日時に最も近いプレイリスト６００（以下、最新プレイリスト６００と称す）を検索する。また、この最新プレイリスト６００のスポット再生対象フラグ６２３に基づいて、スポット再生対象曲を認識する。そして、このスポット再生対象曲の通常再生回数情報６２４に基づいて、通常再生回数が所定回数、例えば２回以下の楽曲に対応する楽曲個別情報６２０をリストアップする。さらに、このリストアップした楽曲個別情報６２０のスポット再生回数情報６２５に基づいて、スポット再生回数が最も少ない楽曲を認識し、この楽曲をスポット再生候補曲として設定する。なお、スポット再生回数が所定回数以下の楽曲をスポット再生候補曲として設定する構成としてもよい。
【００４３】
スポット再生処理手段３１３Ｂは、スポット再生候補曲のスポット再生処理を実施する。具体的には、スポット再生処理手段３１３Ｂは、図示しないＡＣＣ（Accessory）電源をオンする旨の操作信号、または、オフする旨の操作信号を取得すると、スポット再生処理を実施する必要があると判断する。また、走行停止認識手段３０７から踏切停止情報や道路信号停止情報を取得すると、スポット再生処理を実施する必要があると判断する。そして、候補曲検索要求信号を候補曲検索手段３１３Ａへ出力する。また、スポット再生処理手段３１３Ｂは、候補曲検索手段３１３Ａでスポット再生候補曲が検索されて設定されたことを認識すると、このスポット再生候補曲に対応する楽曲個別情報６２０の楽曲データ特定情報６２１に基づいて、楽曲データを特定する。そして、この楽曲データにおけるスポット再生区間情報６２２で特定される区間に基づいて、スポット再生候補曲におけるサビの区間のスポット再生処理を実施する。さらに、スポット再生処理手段３１３Ｂは、スポット再生候補曲をスポット再生すると、このスポット再生候補曲の楽曲個別情報６２０に組み込まれたスポット再生回数情報６２５の回数に１を加える処理をする。ここで、スポット再生処理手段３１３Ｂは、スポット再生候補曲が複数存在する場合、これらを所定の順序でスポット再生する。この所定の順序としては、例えば楽曲データ記憶手段２７０に記憶された順序やプレイリスト６００に登録された順序が例示できるが、これらに限られない。
【００４４】
また、スポット再生処理手段３１３Ｂは、スポット再生されているスポット再生候補曲をスポット再生の対象から外す際に操作される対象除外ボタンを表示部２４０に表示させる。そして、この対象除外ボタンが操作された旨の操作信号を取得すると、このスポット再生対象曲のスポット再生対象フラグ６２３を０に変更する。なお、例えばプレイリスト生成手段３１１にて、スポット再生対象曲をスポット再生の対象から外す旨の操作信号を適宜取得した際に、スポット再生対象フラグ６２３を０に変更する構成としてもよい。
【００４５】
計時手段３２０は、例えば内部クロックなどの基準パルスに基づいて現在日時を計時する。そして、この計時した現在日時に関する現在日時情報を適宜出力する。
【００４６】
〔ナビゲーションシステムの動作〕
次に、ナビゲーションシステム１００の動作として、スポット再生処理について図面に基づいて説明する。図４は、スポット再生処理を示すフローチャートである。図５は、スポット再生候補曲の検索処理を示すフローチャートである。
【００４７】
まず、ナビゲーション装置２００の処理部２９０は、図４に示すように、スポット再生部３１３のスポット再生処理手段３１３Ｂで、ＡＣＣ電源のオン操作を認識したか否かを判断する（ステップＳ１０１）。このステップＳ１０１において、例えば利用者によりＡＣＣ電源をオンする旨の入力操作が実施されオン操作を認識したと判断した場合、候補曲検索手段３１３Ａにて、スポット再生候補曲の検索処理を実施する（ステップＳ１０２）。
【００４８】
このステップＳ１０２におけるスポット再生候補曲の検索処理を実施した後、スポット再生処理手段３１３Ｂは、この検索されたスポット再生候補曲におけるサビの区間のスポット再生処理を実施する（ステップＳ１０３）。さらに、このスポット再生候補曲に対応するスポット再生回数情報６２５のスポット再生回数に１を加える処理をする（ステップＳ１０４）。この後、スポット再生処理手段３１３Ｂは、ＡＣＣ電源がオンからオフへの移行中か否かを判断する（ステップＳ１０５）。このステップＳ１０５において、オンからオフへの移行中であると判断した場合、処理を終了する。一方、ステップＳ１０５において、オンからオフへの移行中でないと判断した場合、ステップＳ１０１に戻る。
【００４９】
また、ステップＳ１０１において、ＡＣＣ電源のオン操作を認識していないと判断した場合、スポット再生処理手段３１３Ｂは、走行停止認識手段３０７から踏切停止情報を取得して車両が踏切待ち状態であるか否かを判断する（ステップＳ１０６）。このステップＳ１０６において、踏切待ち状態であると判断した場合、ステップＳ１０２の処理を実施する。一方、ステップＳ１０６において、踏切待ち状態でないと判断した場合、走行停止認識手段３０７から道路信号停止情報を取得して車両が道路信号待ち状態であるか否かを判断する（ステップＳ１０７）。そして、ステップＳ１０７において、道路信号待ちであると判断した場合、ステップＳ１０２の処理を実施する。また、ステップＳ１０７において、道路信号待ちでないと判断した場合、ＡＣＣ電源のオフ操作を認識したか否かを判断する（ステップＳ１０８）。このステップＳ１０８において、オフ操作を認識したと判断した場合、ステップＳ１０２の処理を実施する。一方、ステップＳ１０８において、オフ操作を認識していないと判断した場合、ステップＳ１０１に戻る。
【００５０】
一方、スポット再生候補曲の検索処理では、候補曲検索手段３１３Ａは、図５に示すように、メモリ２８０に記憶されたプレイリスト６００から最新プレイリスト６００を検索する（ステップＳ２０１）。そして、この最新プレイリスト６００のスポット再生対象曲のうち通常再生回数が所定回数以下の楽曲をリストアップする（ステップＳ２０２）。この後、このリストアップした楽曲のうちスポット再生回数が最も少ない楽曲をスポット再生候補曲として設定して（ステップＳ２０３）、処理を終了する。
【００５１】
〔ナビゲーションシステムの作用効果〕
上述したように、上記実施の形態では、ナビゲーション装置２００の処理部２９０は、スポット再生処理手段３１３Ｂにて、ＡＣＣ電源のオン操作またはオフ操作を認識すると、候補曲検索手段３１３Ａにプレイリスト６００に登録された楽曲のうち通常再生回数が所定回数以下の楽曲をスポット再生候補曲として設定させる。そして、スポット再生処理手段３１３Ｂは、スポット再生候補曲の一部を再生するスポット再生処理を実施する。このため、ナビゲーション装置２００は、ＡＣＣ電源のオン操作が実施された際の各種設定の読み出し処理が終了するまでの時間や、ＡＣＣ電源のオフ操作が実施された際の各種設定の保存処理が終了するまでの時間に、通常再生回数が所定回数以下の楽曲の一部を再生することにより、例えば利用者の嗜好に合わない楽曲を聴取させる機会を増やすことができる。さらに、楽曲の一部のみを再生するので、聴取させる時間を短くできる。したがって、ナビゲーション装置２００は、楽曲を良好に再生できる。また、ナビゲーション装置２００は、例えば利用者の嗜好に合わない楽曲を聴取させる機会を増やすことにより、この楽曲を利用者に覚えさせることができる。さらに、利用者は、各種設定の読み出し処理や保存処理の待ち時間を有意義に利用できる。そして、最新プレイリスト６００に、市販されているＣＤに収録された代表の楽曲（以下、代表曲と称す）と、この代表曲に付随する楽曲（以下、付随曲と称す）と、が登録されている場合、一般的に利用者が聴取する機会が代表曲に比べて少ない付随曲を聴取させる機会を増やすことにより、この付随曲を利用者に覚えさせることができる。したがって、例えば利用者が購入したＣＤの１つの楽曲あたりの単価を低減できる。また、ＣＤの楽曲データを有効に利用できる。ここで、代表曲としては、ＣＤのタイトルと同一タイトルの楽曲やＣＤの１曲目に収録された楽曲が例示できる。
【００５２】
また、スポット再生処理手段３１３Ｂは、走行停止認識手段３０７で認識された車両の走行状態が所定の状態であることを認識すると、候補曲検索手段３１３Ａにスポット再生候補曲を設定させ、スポット再生処理を実施する。このため、ナビゲーション装置２００は、車両の走行状態が所定の状態の際に通常再生回数が所定回数以下の楽曲の一部を再生することにより、例えば利用者の嗜好に合わない楽曲を聴取させる機会を増やすことができ、楽曲を良好に再生できる。
【００５３】
そして、スポット再生処理手段３１３Ｂは、車両の走行が踏切や道路信号により停止されている状態であることを認識すると、スポット再生処理を実施する。このため、利用者は、車両の走行が可能になるまでの待ち時間を有意義に利用できる。
【００５４】
さらに、候補曲検索手段３１３Ａは、スポット再生対象曲をスポット再生候補曲として設定する。このため、ナビゲーション装置２００は、例えば利用者がスポット再生させたくない楽曲をスポット再生することがない。したがって、ナビゲーション装置２００の利便性を向上できる。
【００５５】
また、スポット再生処理手段３１３Ｂは、スポット再生中に表示部２４０に表示させた対象除外ボタンが操作された旨を認識すると、このスポット再生しているスポット再生候補曲をスポット再生の対象から外す処理をする。このため、利用者は、スポット再生された楽曲を聴取してからこの楽曲をスポット再生の対象から外すことができる。したがって、ナビゲーション装置２００の利便性をより向上できる。
【００５６】
そして、候補曲検索手段３１３Ａは、スポット再生対象フラグ６２３の設定に基づいて、楽曲がスポット再生対象曲か否かを判断する。このため、候補曲検索手段３１３Ａは、スポット再生対象フラグ６２３の設定を認識するだけの簡単な構成でスポット再生対象曲か否かを判断でき、スポット再生候補曲の設定処理時における処理負荷を低減できる。
【００５７】
また、候補曲検索手段３１３Ａは、通常再生回数が所定回数以下の楽曲のうちスポット再生された回数が最も少ない楽曲をスポット再生候補曲として設定する。このため、ナビゲーション装置２００は、通常再生およびスポット再生により聴取した機会が最も少ない楽曲を利用者に聴取させることができ、楽曲をさらに良好に再生できる。
【００５８】
さらに、候補曲検索手段３１３Ａは、メモリ２８０から最新プレイリスト６００を検索し、この最新プレイリスト６００に登録された楽曲のうち通常再生回数が所定回数以下の楽曲をスポット再生候補曲として設定する。このため、ナビゲーション装置２００は、最新プレイリスト６００に登録された例えば現在流行している歌手や楽曲に関連する楽曲をスポット再生できる。したがって、ナビゲーション装置２００は、最新プレイリスト６００よりも前に生成されたプレイリスト６００の陳腐化した楽曲をスポット再生する構成と比べて、楽曲をより良好に再生できる。
【００５９】
また、スポット再生処理手段３１３Ｂは、ＡＣＣ電源のオンオフ操作や車両の走行状態に基づいて、楽曲のスポット再生処理を実施する。このため、ナビゲーション装置２００は、楽曲のスポット再生処理により、利用者に快適に運転させることができる。
【００６０】
そして、スポット再生処理手段３１３Ｂは、スポット再生候補曲のいわゆるサビの区間をスポット再生する。このため、ナビゲーション装置２００は、スポット再生候補曲の最も盛り上がる部分を聴取させることができ、利用者にスポット再生候補曲を覚え易くさせることができる。
【００６１】
さらに、スポット再生処理手段３１３Ｂは、スポット再生区間情報６２２に基づいてサビの区間を認識する。このため、スポット再生処理手段３１３Ｂは、スポット再生区間情報６２２の内容を認識するだけの簡単な構成で楽曲のサビの区間を認識でき、スポット再生処理時における処理負荷を低減できる。
【００６２】
そして、本発明のデータ出力制御装置を構成する走行停止認識手段３０７、通常再生部３１２、スポット再生部３１３をプログラムにて構成している。このため、走行停止認識手段３０７、通常再生部３１２、スポット再生部３１３を例えば記録媒体などに適宜記録したり、ネットワークを介して適宜配信できる。したがって、走行停止認識手段３０７、通常再生部３１２、スポット再生部３１３の取扱を容易にでき、利用の拡大を容易に図ることができる。
【００６３】
〔実施の形態の変形〕
なお、本発明は、上述した一実施の形態に限定されるものではなく、本発明の目的を達成できる範囲で以下に示される変形をも含むものである。
【００６４】
すなわち、スポット再生部３１３にて、車両の走行状態に基づいてスポット再生処理を実施しない構成としてもよい。このような構成にすれば、走行停止認識手段３０７を設ける必要がなく処理部２９０の構成を簡略できる。また、ステップＳ１０６，Ｓ１０７の処理を省略でき、スポット再生部３１３の処理負荷を低減できる。
【００６５】
さらに、スポット再生部３１３にて、踏切および道路信号のうちのいずれか一方により車両が停止した際にスポット再生処理を実施する構成としてもよい。このような構成にすれば、走行停止認識手段３０７に、上述した停止状態のうちいずれか一方を認識する機能を設ける必要がなく、走行停止認識手段３０７の構成を簡略にできる。また、ステップＳ１０６，Ｓ１０７のうち少なくともいずれか一方の処理を省略でき、スポット再生部３１３の処理負荷を低減できる。
【００６６】
そして、スポット再生部３１３にて、ブレーキ、アクセル、ハンドルなど車両の走行状態を制御する各種機能が利用された際にスポット再生処理を実施する構成としてもよい。このような構成にしても、車両の走行状態に基づいて例えば利用者の嗜好に合わない楽曲を聴取させる機会を増やすことができ、楽曲を良好に再生できる。
【００６７】
そして、スポット再生部３１３にて、ＡＣＣ電源のオン操作を認識したときのみ、または、オフ操作を認識したときのみにスポット再生処理を実施する構成としてもよい。さらに、スポット再生部３１３にて、ＡＣＣ電源のオンオフ操作に基づいてスポット再生処理を実施しない構成としてもよい。これらのような構成にすれば、スポット再生処理手段３１３Ｂに、上述した変化状態のうち少なくともいずれか一方を認識する機能を設ける必要がなく、スポット再生処理手段３１３Ｂの構成を簡略にできる。また、ステップＳ１０１，Ｓ１０８のうち少なくともいずれか一方の処理を省略でき、スポット再生部３１３の処理負荷を低減できる。
【００６８】
さらに、プレイリスト６００に登録された楽曲や楽曲データ記憶手段２７０に記憶された楽曲の全てをスポット再生対象曲とする構成としてもよい。このような構成にすれば、候補曲検索手段３１３Ａに、楽曲がスポット再生対象曲か否かを判断する機能を設ける必要がなく、候補曲検索手段３１３Ａの構成を簡略にできる。また、プレイリスト６００にスポット再生対象フラグ６２３を組み込む必要がなく、プレイリスト６００の構成を簡略にできる。
【００６９】
そして、スポット再生処理手段３１３Ｂに、対象除外ボタンを表示させる機能を設けない構成としてもよい。このような構成にすれば、スポット再生処理手段３１３Ｂの構成を簡略にできる。
【００７０】
また、候補曲検索手段３１３Ａに、スポット再生回数に基づいてスポット再生候補曲を設定する機能を設けない構成としてもよい。このような構成の場合、候補曲検索手段３１３Ａは、ステップＳ２０２においてリストアップした楽曲をスポット再生候補曲として設定して処理を終了する。このため、候補曲検索手段３１３Ａの構成を簡略にできる。また、ステップＳ２０３の処理を省略でき、候補曲検索手段３１３Ａの処理負荷を低減できる。そして、プレイリスト６００にスポット再生回数情報６２５を組み込む必要がなく、プレイリスト６００の構成を簡略にできる。
【００７１】
そして、候補曲検索手段３１３Ａにて、通常再生回数が所定回数以下の楽曲のうち楽曲データ記憶手段２７０に記憶されてからの経過時間が所定時間以下の楽曲をスポット再生候補曲として設定する構成としてもよい。このような構成にすれば、ナビゲーション装置２００は、楽曲データ記憶手段２７０に最近記憶された現在流行している歌手や楽曲に関連する楽曲をスポット再生できる。したがって、ナビゲーション装置２００は、楽曲データ記憶手段２７０に従前に記憶され陳腐化した楽曲をスポット再生することがなく、楽曲をより良好に再生できる。
【００７２】
また、候補曲検索手段３１３Ａに、最新プレイリスト６００を検索する機能を設けない構成としてもよい。このような構成の場合、候補曲検索手段３１３Ａは、ステップＳ２０１の処理を実施せずにステップＳ２０２において、プレイリスト６００の作成日時にかかわらず通常再生回数が所定回数以下の楽曲をリストアップする。このため、候補曲検索手段３１３Ａの構成を簡略にできる。さらに、ステップＳ２０１の処理を省略でき、候補曲検索手段３１３Ａの処理負荷を低減できる。そして、プレイリスト６００にリスト作成日時情報６１０を組み込む必要がなく、プレイリスト６００の構成を簡略にできる。
【００７３】
さらに、候補曲検索手段３１３Ａにて、例えば図６に示すようなスポット再生候補曲の検索処理を実施する構成としてもよい。具体的には、候補曲検索手段３１３Ａは、ステップＳ２０１，Ｓ２０２の処理を実施する。そして、ステップＳ２０２においてリストアップした楽曲からランダムに選択した楽曲をスポット再生候補曲として設定して（ステップＳ３０１）、処理を終了する。このような構成にすれば、プレイリスト６００にスポット再生回数情報６２５を組み込む必要がなく、プレイリスト６００の構成を簡略にできる。なお、ステップＳ３０１の処理を実施しない構成としてもよい。
【００７４】
そして、候補曲検索手段３１３Ａにて、例えば図７に示すようなスポット再生候補曲の検索処理を実施する構成としてもよい。具体的には、候補曲検索手段３１３Ａは、最新プレイリスト６００の作成日時から所定期間内に作成されたプレイリスト６００をリストアップする（ステップＳ４０１）。この後、このプレイリスト６００を作成日時が新しい順にソートしてリストアップして（ステップＳ４０２）、リストアップした順に番号を付与する（ステップＳ４０３）。そして、リストアップしたプレイリスト数Ｐが現在月数Ｍ以上か否かを判断する（ステップＳ４０４）。ここで、現在月数Ｍとは、現在の月を表す数値すなわち現在が３月であれば３である。このステップＳ４０４において、現在月数Ｍ以上であると判断した場合、付与された番号がＭのプレイリスト６００を検索して（ステップＳ４０５）、ステップＳ２０２，Ｓ２０３の処理を実施する。一方、ステップＳ４０４において、現在月数Ｍ未満であると判断した場合、現在月数Ｍをプレイリスト数Ｐで除した際の剰余数Ｊを認識する（ステップＳ４０６）。そして、付与された番号がＪのプレイリスト６００を検索して（ステップＳ４０７）、ステップＳ２０２の処理を実施する。
【００７５】
また、候補曲検索手段３１３Ａにて、例えば図８に示すようなスポット再生候補曲の検索処理を実施する構成としてもよい。具体的には、候補曲検索手段３１３Ａは、ステップＳ４０１ないしステップＳ４０３の処理を実施した後、リストアップしたプレイリスト数Ｐが現在週数Ｗ以上か否かを判断する（ステップＳ５０１）。ここで、現在週数Ｗとは、現在が月の何週目か表す数値すなわち現在が３月の２週目であれば２である。このステップＳ５０１において、現在週数Ｗ以上であると判断した場合、付与された番号がＷのプレイリスト６００を検索して（ステップＳ５０２）、ステップＳ２０２，Ｓ２０３の処理を実施する。一方、ステップＳ５０１において、現在週数Ｗ未満であると判断した場合、現在週数Ｗをプレイリスト数Ｐで除した際の剰余数Ｋを認識する（ステップＳ５０３）。そして、付与された番号がＫのプレイリスト６００を検索して（ステップＳ５０４）、ステップＳ２０２の処理を実施する。
【００７６】
さらに、候補曲検索手段３１３Ａにて、例えば図９に示すようなスポット再生候補曲の検索処理を実施する構成としてもよい。具体的には、候補曲検索手段３１３Ａは、ステップＳ４０１ないしステップＳ４０３の処理を実施した後、リストアップしたプレイリスト数Ｐが現在日数Ｄ以上か否かを判断する（ステップＳ６０１）。ここで、現在日数Ｄとは、現在が月の何日目か表す数値すなわち現在が６月８日であれば８である。このステップＳ６０１において、現在日数Ｄ以上であると判断した場合、付与された番号がＤのプレイリスト６００を検索して（ステップＳ６０２）、ステップＳ２０２，Ｓ２０３の処理を実施する。一方、ステップＳ６０１において、現在日数Ｄ未満であると判断した場合、現在日数Ｄをプレイリスト数Ｐで除した際の剰余数Ｌを認識する（ステップＳ６０３）。そして、付与された番号がＬのプレイリスト６００を検索して（ステップＳ６０４）、ステップＳ２０２の処理を実施する。
【００７７】
上述したような図７ないし図９に示すような処理を実施する構成にすれば、候補曲検索手段３１３Ａは、例えば新たにプレイリスト６００が登録されない場合であっても、月毎や週毎あるいは日毎に異なるプレイリスト６００からスポット再生候補曲を検索して設定できる。したがって、例えば図５に示すような処理を実施する構成のように、新たにプレイリスト６００が登録されない状態で月や週あるいは日付が変わった場合に同じプレイリスト６００からスポット再生候補曲を検索することがない。よって、例えば図５に示すような処理を実施する構成と比べて、例えば利用者の嗜好に合わないより多くの楽曲について聴取させる機会を増やすことができ、ナビゲーション装置２００の利便性をより向上できる。なお、図７ないし図９に示すような処理を実施する場合、ステップＳ４０１において現在日時から所定期間内に作成されたプレイリスト６００をリストアップする構成としてもよい。また、ステップＳ４０２においてプレイリスト６００を作成日時が古い順にソートする構成としてもよい。さらに、ステップＳ２０３の処理を実施しない構成や、ステップＳ２０３の代わりに図６に示すようなステップＳ３０１の処理を実施する構成としてもよい。そして、例えばステップＳ４０６において、ＭにＰを乗じたり加えた際あるいはＭからＰを減じた際の１の位の数値Ｑ１、１の位と１０の位を加減乗除した数値Ｑ２を認識する構成としてもよい。
【００７８】
また、本発明のデータ出力制御装置をナビゲーション装置２００に適用した構成について例示したが、移動体に搭載される構成に限らず、携帯用の楽曲再生装置や家庭などに設置される楽曲再生装置に適用して、図１０に示すような処理を実施する構成としてもよい。具体的には、電力供給状態認識手段および処理状態認識手段としても機能する第２のデータ出力制御手段としてのスポット再生処理手段３１３Ｂは、楽曲再生装置の電源のオン操作を認識したか否かを判断する（ステップＳ７０１）。このステップＳ７０１において、オン操作を認識したと判断した場合、候補曲検索手段３１３Ａは、例えば図５ないし図９のいずれかに示すようなスポット再生候補曲の検索処理を実施する（ステップＳ７０２）。この後、スポット再生処理手段３１３Ｂは、スポット再生処理を実施するとともに（ステップＳ７０３）、スポット再生回数に１を加える処理を実施して（ステップＳ７０４）、電源がオンからオフへの移行中か否かを判断する（ステップＳ７０５）。このステップＳ７０５において、移行中であると判断した場合、処理を終了する。一方、ステップＳ７０５において、移行中でないと判断した場合、ステップＳ７０１に戻る。
【００７９】
そして、ステップＳ７０１において、オン操作を認識してないと判断した場合、スポット再生処理手段３１３Ｂは、通常再生部３１２の制御による通常再生曲の指定がなされない状態が所定未出力時間続いたか否かを判断する（ステップＳ７０６）。このステップＳ７０６において、所定未出力時間続いたと判断した場合、ステップＳ７０２の処理を実施する。また、ステップＳ７０６において、所定未出力時間続いていないと判断した場合、通常再生部３１２の制御により選択要求情報としての選曲操作メニューの表示が開始されたか否かを判断する（ステップＳ７０７）。このステップＳ７０７において、表示が開始されたと判断した場合、ステップＳ７０２の処理を実施する。一方、ステップＳ７０７において、表示が開始されていないと判断した場合、電源のオフ操作を認識したか否かを判断する（ステップＳ７０８）。そして、このステップＳ７０８において、オフ操作を認識したと判断した場合、ステップＳ７０２の処理を実施する。また、ステップＳ７０８において、オフ操作を認識していないと判断した場合、ステップＳ７０１に戻る。
【００８０】
このような構成にすれば、楽曲再生装置は、通常再生部３１２による処理の実施状態が所定の状態であることを認識した際に、スポット再生処理を実施することにより例えば利用者の嗜好に合わない楽曲を聴取させる機会を増やすことができる。また、楽曲の一部のみを再生するので、聴取させる時間を短くできる。したがって、楽曲再生装置は、楽曲を良好に再生できる。
【００８１】
また、スポット再生処理手段３１３Ｂは、通常再生曲の指定がなされていない状態が所定未出力時間続いたことを認識すると、スポット再生処理を実施する。このため、楽曲再生装置は、通常再生曲の指定を待つ時間を有効に利用できる。
【００８２】
そして、スポット再生処理手段３１３Ｂは、選択操作メニューが表示されたことを認識すると、スポット再生処理を実施する。このため、楽曲再生装置は、選択操作メニューを表示して利用者による楽曲の選択操作を待つ時間を有効に利用できる。
【００８３】
なお、図１０に示すような処理を実施する場合、ステップＳ７０１、ステップＳ７０６ないしステップＳ７０８のうち少なくともいずれか１つの処理のみを実施する構成としてもよい。
【００８４】
さらに、本発明のデータ出力制御装置をインターネットなどのネットワークを介して各種情報を送受信可能な携帯用や家庭に設置されるパーソナルコンピュータ（以下、パソコンと称す）に適用して、図１１に示すような処理を実施する構成としてもよい。具体的には、スポット再生処理手段３１３Ｂは、処理実施手段としての図示しないブラウジング手段で実施するインターネットブラウジング処理時、すなわちインターネットに接続して検索データとしての各種データを検索する処理時において、所定時間である所定検索時間以上待つ状態かを判断する（ステップＳ８０１）。このステップＳ８０１において、待つ状態であると判断した場合、候補曲検索手段３１３Ａは、例えば図５ないし図９のいずれかに示すようなスポット再生候補曲の検索処理を実施する（ステップＳ８０２）。この後、スポット再生処理手段３１３Ｂは、スポット再生処理を実施するとともに（ステップＳ８０３）、スポット再生回数に１を加える処理を実施して（ステップＳ８０４）、電源がオンからオフへの移行中か否かを判断する（ステップＳ８０５）。このステップＳ８０５において、移行中であると判断した場合、処理を終了する。一方、ステップＳ８０５において、移行中でないと判断した場合、ステップＳ８０１に戻る。
【００８５】
そして、ステップＳ８０１において、待つ状態でないと判断した場合、処理実施手段としての図示しないファイル送受信手段で実施する送受信データとしてのファイルのダウンロード処理時またはファイルの転送処理時において、所定時間である所定送受信時間以上待つ状態か否かを判断する（ステップＳ８０６）。このステップＳ８０６において、待ち状態であると判断した場合、ステップＳ８０２の処理を実施する。また、ステップＳ８０６において、待ち状態でないと判断した場合、処理実施手段としての図示しないプログラム変更手段で実施する変更対象データ記憶手段としての図示しないメモリに記憶された変更対象データとしてのプログラム変更処理時において、所定時間である所定変更時間以上待つ状態か否かを判断する（ステップＳ８０７）。そして、ステップＳ８０７において、待ち状態であると判断した場合、ステップＳ８０２の処理を実施する。また、ステップＳ８０７において、待ち状態でないと判断した場合、処理実施手段としての図示しないタスク切換手段で実施するアプリケーションソフトのタスク切り替え処理が実施されるか否かを判断する（ステップＳ８０８）。このステップＳ８０８において、タスク切り替え処理が実施されると判断した場合、ステップＳ８０２の処理を実施する。一方、ステップＳ８０８において、タスク切り替え処理が実施されないと判断した場合、スポット再生処理手段は、電源のオフ操作を認識したか否かを判断する（ステップＳ８０９）。そして、このステップＳ８０９において、オフ操作を認識したと判断した場合、ステップＳ８０２の処理を実施する。また、ステップＳ８０９において、オフ操作を認識していないと判断した場合、ステップＳ８０１に戻る。
【００８６】
このような構成にすれば、パソコンは、ブラウジング手段、ファイル送受信手段、プログラム変更手段、タスク切換手段による処理の実施状態が所定の状態であることを認識した際に、スポット再生処理を実施することにより例えば利用者の嗜好に合わない楽曲を聴取させる機会を増やすことができる。また、楽曲の一部のみを再生するので、聴取させる時間を短くできる。したがって、パソコンは、楽曲を良好に再生できる。
【００８７】
また、スポット再生処理手段３１３Ｂは、インターネットブラウジング時に所定検索時間以上待つ状態であることを認識すると、スポット再生処理を実施する。このため、利用者は、インターネットブラウジングを待つ時間を有意義に利用できる。
【００８８】
そして、スポット再生処理手段３１３Ｂは、ファイルのダウンロード時や転送時に所定送受信時間以上待つ状態であることを認識すると、スポット再生処理を実施する。このため、利用者は、ファイルのダウンロードや転送を待つ時間を有意義に利用できる。
【００８９】
さらに、スポット再生処理手段３１３Ｂは、プログラム変更処理時に所定変更時間以上待つ状態であることを認識すると、スポット再生処理を実施する。このため、利用者は、プログラム変更を待つ時間を有意義に利用できる。
【００９０】
また、スポット再生処理手段３１３Ｂは、アプリケーションソフトのタスク切り替え処理が実施されることを認識すると、スポット再生処理を実施する。このため、パソコンは、タスク切り替え処理を実施して利用者によるアプリケーションソフトの操作を待つ時間を有効に利用できる。
【００９１】
なお、図１１に示すような処理を実施する場合、スポット再生処理手段３１３Ｂにて、タスク切り替え処理が所定切換回数実施されたことを認識した際に、スポット再生処理を実施する構成としてもよい。このような構成にすれば、図１１に示すような構成のように例えばタスク切り替え処理が頻繁に実施された際に、この実施頻度に合わせたスポット再生処理により利用者に煩わしさを感じさせることがない。したがって、パソコンは、楽曲をより良好に再生できる。
【００９２】
また、ステップＳ８０１、ステップＳ８０６ないしステップＳ８０９のうち少なくともいずれか１つの処理のみを実施する構成としてもよい。
【００９３】
そして、例えばプレイリスト６００に、代表曲と、この代表曲の付随曲と、が登録されている場合、代表曲をスポット再生対象曲に設定せずに、付随曲をスポット再生対象曲に設定する構成としてもよい。なお、代表曲が本発明の第１のデータに、付随曲が本発明の第２のデータに対応する。このような構成にすれば、ナビゲーション装置２００は、一般的に利用者が聴取する機会が代表曲に比べて少ない付随曲のみをスポット再生できる。したがって、ナビゲーション装置２００は、楽曲をより良好に再生できる。
【００９４】
さらに、楽曲におけるサビの区間以外の区間、例えば楽曲の最初や所定の再生位置から所定再生時間である１０秒間の区間をスポット再生する構成としてもよい。このような構成にすれば、プレイリスト生成手段３１１に、サビの区間を認識させる機能を設ける必要がなく、プレイリスト生成手段３１１の構成を簡略にできる。また、プレイリスト生成手段３１１の処理負荷を低減できる。
【００９５】
そして、例えば楽曲の最初や所定の再生位置から所定再生時間の区間をスポット再生する構成において、スポット再生区間情報６２２にスポット再生区間の先端位置のみに関する情報を記載する構成としてもよい。このような構成にすれば、スポット再生区間情報６２２の情報量を減らすことができる。
【００９６】
また、代表曲および付随曲がスポット再生候補曲として設定された場合、スポット再生候補曲が代表曲か否かに基づいてスポット再生順序を設定する構成としてもよい。
【００９７】
さらに、例えばＡＣＣ電源のオン操作を認識した際などスポット再生処理を繰り返し実施する状態において、最新プレイリスト６００のスポット再生候補曲を全てスポット再生処理した場合、スポット再生処理を終了させる構成としてもよい。また、メモリ２８０にプレイリスト６００が複数存在する場合、最新プレイリスト６００以外のプレイリスト６００の楽曲をスポット再生する構成としてもよい。
【００９８】
そして、スポット再生候補曲が複数存在する場合であっても、１つのスポット再生候補曲のみを繰り返しスポット再生する構成としてもよい。
【００９９】
さらに、本発明のデータ出力制御装置を楽曲をスポット再生する構成に適用した構成について例示したが、映像をスポット再生する構成に適用してもよい。ここで、映像を表示させるための映像データが本発明の出力データとしてのコンテンツデータに対応する。また、映像を車両の前席および後席に設けられた表示装置でスポット再生するナビゲーション装置に適用した場合、ＡＣＣ電源のオンオフ操作時や踏切や道路信号による停止時など車両が走行していない際に前席および後席の表示装置でスポット再生した映像を表示させ、ブレーキやアクセルの利用時など車両が走行している際に後席の表示装置のみでスポット再生した映像を表示させる構成としてもよい。このような構成にすれば、安全性を考慮に入れた処理を実施可能なナビゲーション装置を提供できる。
【０１００】
また、本発明のデータ出力制御装置を外国語の単語や文章、あるいは資格試験対策などの講義の音声データやテキストデータ、画像データをスポット再生する構成に適用してもよい。また、本発明のデータ出力制御装置をゲームの機能を有するナビゲーション装置やパソコンなどに適用して、ゲームの一部を適宜出力させる構成としてもよい。ここで、単語や文章あるいは講義さらにはゲームを出力させる各データが本発明の出力データに対応する。さらに、本発明の出力データとしては、アプリケーションソフトウェアなど各種データを対象とすることができる。
【０１０１】
そして、本発明のデータ出力制御装置を例えば建造物の扉の施錠状態や照明のスイッチのオンオフ操作に基づいて、楽曲や映像などをスポット再生する構成に適用してもよい。ここで、扉の鍵や照明のスイッチが本発明の処理実施手段に対応する。さらに、データ出力制御装置をナビゲーション装置２００に適用した構成に限らず、例えばメモリ２８０、走行停止認識手段３０７、通常再生部３１２、スポット再生部３１３を独立させた構成に適用してもよい。
【０１０２】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【０１０３】
その他、本発明の実施の際の具体的な構造および手順は、本発明の目的を達成できる範囲で他の構造などに適宜変更できる。
【０１０４】
〔実施の形態の効果〕
上述したように、上記実施の形態では、ナビゲーション装置２００は、例えばＡＣＣ電源のオン操作を認識すると、プレイリスト６００に登録された楽曲のうち通常再生回数が所定回数以下の楽曲をスポット再生候補曲として設定する。そして、このスポット再生候補曲の一部を再生するスポット再生処理を実施する。このため、ナビゲーション装置２００は、例えばＡＣＣ電源のオン操作が実施された際の各種設定の読み出し処理が終了するまでの時間などに、通常再生回数が所定回数以下の楽曲の一部を再生でき、例えば利用者の嗜好に合わない楽曲を聴取させる機会を増やすことができる。また、楽曲の一部のみを再生するので、聴取させる時間を短くできる。したがって、ナビゲーション装置２００は、楽曲を良好に再生できる。
【０１０５】
また、ナビゲーション装置２００は、車両の走行状態が所定の状態であることを認識すると、スポット再生処理を実施する。このため、ナビゲーション装置２００は、車両の走行状態が所定の状態の際に通常再生回数が所定回数以下の楽曲の一部を再生することにより、例えば利用者の嗜好に合わない楽曲を聴取させる機会を増やすことができる。また、楽曲の一部のみを再生するので、聴取させる時間を短くできる。したがって、ナビゲーション装置２００は、楽曲を良好に再生できる。
【０１０６】
そして、楽曲再生装置は、通常再生部による処理の実施状態が所定の状態であることを認識すると、スポット再生処理を実施する。このため、楽曲再生装置は、通常再生部による処理状態が所定の状態の際に通常再生回数が所定回数以下の楽曲の一部を再生することにより、例えば利用者の嗜好に合わない楽曲を聴取させる機会を増やすことができる。また、楽曲の一部のみを再生するので、聴取させる時間を短くできる。したがって、楽曲再生装置は、楽曲を良好に再生できる。
【図面の簡単な説明】
【０１０７】
【図１】本発明の一実施の形態に係るナビゲーションシステムの概略構成を示すブロック図である。
【図２】前記一実施の形態におけるプレイリストの概略構成を示す模式図である。
【図３】前記一実施の形態におけるナビゲーション装置を構成する処理部の概略構成を示すブロック図である。
【図４】前記一実施の形態におけるスポット再生処理を示すフローチャートである。
【図５】前記一実施の形態におけるスポット再生候補曲の検索処理を示すフローチャートである。
【図６】本発明の他の実施の形態に係るスポット再生候補曲の検索処理を示すフローチャートである。
【図７】本発明のさらに他の実施の形態に係るスポット再生候補曲の検索処理を示すフローチャートである。
【図８】本発明のさらに他の実施の形態に係るスポット再生候補曲の検索処理を示すフローチャートである。
【図９】本発明のさらに他の実施の形態に係るスポット再生候補曲の検索処理を示すフローチャートである。
【図１０】本発明のさらに他の実施の形態に係るスポット再生処理を示すフローチャートである。
【図１１】本発明のさらに他の実施の形態に係るスポット再生処理を示すフローチャートである。
【符号の説明】
【０１０８】
２７０    出力データ記憶手段としての楽曲データ記憶手段
２８０    データ出力制御装置を構成するデータリスト記憶手段としてのメモリ
２９０    演算手段としての処理部
３０７    データ出力制御装置を構成する移動状態認識手段としての走行停止認識手段
３１２    データ出力制御装置を構成する処理実施手段としても機能しうる第１のデータ出力制御手段としての通常再生部
３１３    データ出力制御装置を構成するスポット再生部
３１３Ａ  選択手段としての候補曲検索手段
３１３Ｂ  電力供給状態認識手段としても機能する対象設定変更手段および処理状態認識手段としても機能しうる第２のデータ出力制御手段としてのスポット再生処理手段
４００    データ出力手段としての発音手段
６００    データリストとしてのプレイリスト
【図１】
2006209914.tif 000003
【図２】
2006209914.tif 000004
【図３】
2006209914.tif 000005
【図４】
2006209914.tif 000006
【図５】
2006209914.tif 000007
【図６】
2006209914.tif 000008
【図７】
2006209914.tif 000009
【図８】
2006209914.tif 000010
【図９】
2006209914.tif 000011
【図１０】
2006209914.tif 000012
【図１１】
2006209914.tif 000013